Podtech/llm-jp-corpus-v4-ja_patent huggingface dataset:
(57)【要約】【課題】水流による洗浄だけではとれない汚れも落とせて、かつ小型で水の使用量も抑えられ、小数の食器の洗浄に使える簡易型の食洗器を提供することにある。【解決手段】  水流から回転力を得ることのできる本体装置と、その先端に付けられた回転ブラシと、吊り下げアングルと吊り下げワイヤーおよび通水パイプとスイッチレバーとを設け、かつ本体内には水流から回転力を得るための羽根車を複数個設け、かつ羽根車の間には羽根の角度が逆向きかつ固定の水流調整用羽根車を設けた。【選択図】図１
2018192090.tif 000002
【特許請求の範囲】
【請求項１】
先端に回転ブラシのついたハンディ型食洗器であって、先端にほぼ球形または円盤状の洗浄ブラシを設け、水流によって先端のブラシを回転させつつ食器に当てることで食器を洗浄することを特徴とした食洗器。
【発明の詳細な説明】
【技術分野】
【０００１】
本願は食器を洗う食洗器に関し、より詳しくは少量の食器を洗う小型の簡易食洗器に関する。
【背景技術】
【０００２】
食器を洗う食洗器は複数枚の皿や茶わんなどを一つの容器に入れて水流を掛けて纏めて洗うタイプのものが多い。
【０００３】
食洗器の多くはシステムキッチンなどに組み込まれており、一度の食事で用いた食器をすべて入れて一気に洗うものである。しかしながら洗浄のための水流が食器間に十分行き渡らず洗い残しが出て結局手洗いすることになる場合が多い。
【０００４】
また、システムキッチンとして住宅購入時に既に組み込まれたものが多く、少人数の家族構成では大きすぎて少数の食器の洗浄用としては電気代がもったいなく思え、結局食器を手洗いした後に食洗器に入れて乾燥させるといったように食器乾燥機としての機能しか使われていない場合が多い。
【０００５】
特にシステムキッチンに組み込まれたタイプでは修理費が高価なため、１０年程度で保証期間が切れた後は故障してもメンテナンスもされずに、しかしキッチンそのものは使われていて、食洗器が単なる食器収納ボックスとなっている場合が多い。
【０００６】
特許文献１においては食器の出し入れのしやすさを向上させるための工夫がなされているが、形状の違うものを一括に扱って水流で洗浄するのはかなり無理があり、水流の当たらない箇所では洗い残しが出たり、また、垂直に立てたつもりの椀が水平方向にずれ動いて椀の底に水が残ったままになっていたりする場合がある。
【０００７】
システムキッチンに組み込まれている点も使いにくさの一因となっている。住宅の付帯設備になっているため入居者は食洗器の価格を知らない場合が多いが、保証期間後に内部でバルブ関係が故障して水漏れを起こし、ユニット全体の交換が必要と言われ、その時点で価格を知らされて高価なのに驚き修理しないままになっているケースが多々ある。
【先行技術文献】
【特許文献】
【０００８】
【特許文献１】特許６１１１４１０号
【発明の概要】
【発明が解決しようとする課題】
【０００９】
上記の様な問題点を踏まえ、本願の課題は水流による洗浄だけでは取れない汚れも落とせて、小型かつ安全で、小数の食器の洗浄にも無駄なく使える簡易型の食洗器を提供することにある。
【課題を解決するための手段】
【００１０】
本願の発明は先端に回転ブラシのついたハンディ型食洗器であって、先端にほぼ球形または円盤状の洗浄ブラシのついた小型のエアードリルのような形状で、先端のブラシを回転させつつ食器に当てるとほとんど手を動かさずに食器を洗うことができるものである。
【００１１】
ここで重要なことは、より少ない水量で、回転ブラシの十分な回転力を得ることにある。
【００１２】
一般に水車で回転力を得る方式では、水量を大きくしなければ所要の回転力は得られない。本願の形態では本体を縦に長く設計することが可能であるので、水車を多段に使用して回転力を増すことが考えられる。しかるに、いろいろ実験して得られた結果から、単に水車を多段にしただけでは水流そのものが水車羽根の部分に当たって羽根とは反対方向の回転力を得てしてしまうので、羽根車を二枚にしても二倍の回転力（トルク）は得られないことが判った。
【００１３】
そのため本願の発明者は羽根車の間に逆向きの羽根車を挿入し、これをシリンダーに固定して（回転させないようにして）実験を行ったところ３枚目までは羽根車の枚数に応じた回転力の増加がみられた。
【発明の効果】
【００１４】
本願の装置を使用すると水流と水流によって回転する回転ブラシとで食器を洗うことができるので、単に水流のみで洗った場合と比較して食器の表面をくまなくブラッシングでき、洗い残しなく奇麗に洗うことができる。
【００１５】
本装置では水流でブラシを回転させるため手を軽く添えるだけでブラッシングが可能であり、また水流による回転方式のためモーター方式より安全であり、漏電や感電の危険性がない。
【００１６】
水流のみで洗う食洗器はいろいろ改良や工夫が加えられているものの、汚れのひどい食器はやはり予洗いが必要であり、ブラッシングが欠かせないが、本装置は上記の予洗い用としても使用できる。
【図面の簡単な説明】
【００１７】
【図１】全体図
【図２】本体内部の図
【発明を実施するための形態】
【００１８】
図１は本願装置の全体図である。本願装置は装置本体５、の他に本体を吊り下げる可動式吊り下げアーム１、吊り下げワイヤーおよび洗浄用の水を通す通水パイプ３、および通水と回転ブラシを制御するスイッチレバー４、回転ブラシ６、から成る。
【００１９】
ユーザーは本体部分５を握ってスイッチレバー４を抑えると回転ブラシ６が回転しながら先端から洗浄水８が噴出する。
【００２０】
この状態でユーザーが回転ブラシ６を食器７に押し当てれば食器が洗浄できる。この時可動式アームは本体や吊り下げワイヤーと共に下がるが、本体他の重量を支えており、ユーザーになるべく負担を掛けない構造になっている。
【００２１】
図２は本装置本体部分の内部構造を示す。通水パイプ９を通ってきた水はコネクター１０を経て放水ノズル１１からシリンダー１２の内部に放水される。
【００２２】
この放水の水流をブラシの回転力に変換する羽根車は軸と共に回転するものおよび、本体シリンダーに固定されたものの２種類が交互に軸にはめ込まれている。
【００２３】
軸と共に回転する回転羽根車１３，１５，１７は軸に固定されており、本体シリンダーに固定された固定羽根車１４，１６は軸に回動自在に通されており、シリンダー１２内部の固定羽根固定用フック２０によって回転が止められている。
【００２４】
回転羽根車１３，１５，１７を回転させた水流は排水口１８から回転ブラシ１９の方に排出され、食器の洗浄水となる。
【符号の説明】
【００２５】
１  可動式吊り下げアーム
２  壁面取り付け具
３  吊り下げワイヤーおよび通水パイプ
４  スイッチレバー
５  本体
６  回転ブラシ
７  食器
８  洗浄水
９  通水パイプ
１０  コネクター
１１  放水ノズル
１２  シリンダー
１３  回転羽根車
１４  固定羽根車
１５  回転羽根車
１６  固定羽根車
１７  回転羽根車
１８  排水口
１９  回転ブラシ
２０  固定羽根固定用フック
【図１】
2018192090.tif 000003
【図２】
2018192090.tif 000004
(57)【要約】【課題】  筆記具が、必要な所に簡単に何時でも提供されること。【解決手段】  本発明は上記課題を解決するために、弾力性を有する保持具で筆記具を保持し、前記保持手段に内蔵したマグネットを具備し、マグネットの磁力を用いて筆記具が必要になると思わる適宜の場所へ設置するものである。【選択図】図４
2018192777.tif 000002
【特許請求の範囲】
【請求項１】
弾力性を有し筆記具を保持する為の保持具を備え基部側にマグネットを内蔵した筆記具保持具。
【発明の詳細な説明】
【技術分野】
【０００１】本発明は、筆記具を保持する筆記具保持具。
【背景技術】
【０００２】  物流管理の観点から各商品の管理は経営上の重要ポイントとなるが、倉庫の中に於いて急に記入する必要が生じた時筆記具が無ければ不便である。
【発明の概要】
【発明が解決しようとする課題】
【０００３】  筆記具が、必要な所に簡単に何時でも提供されること。
【課題を解決するための手段】
【０００４】  弾力性を有し筆記具を保持する為の保持具を備え基部側にマグネットを内蔵した筆記具保持具を必要な所へ設置する。
【発明の効果】
【０００５】  筆記具を所持していない時、突然の連絡で入出庫の記録をする事となった時、人が行くところに筆記具保持具本体を設置すれば、記録は簡単に出来る。そして、価値有るアイデアも商品化に繋ぎ企業活動の高度化が進む。また、筆記具を保持する本体の必要な場所が変化すれば移動させる事も簡単に出来るので合理的である。
【図面の簡単な説明】
【０００６】
【図１】  本発明本体の斜視図
【図２】  本発明本体の背面図
【図３】  本発明本体とセットされているマグネット
【図４】  本発明本体に筆記具がセットされた側面図
【発明を実施するための形態】
【０００７】  以下、本発明の実施形態を図１から図４に基づいて説明する。
図１  １は、保持具本体１前面側斜視図で両側に筆記具を保持するための保持片１ａ、１ｂが一体として設けられ略Ｃ字型に構成され弾力性がある。１ｃは、保持具本体の内側で筆記具と直接に接し保持する面である。２は、保持具本体１の中央部に固定されたマグネットでその前端面及び後端面それぞれ保持具本体１の前面及び背面から露出する様に構成されている。３は、マグネット脱落防止リング状突起でマグネット２の脱落を防止する。
尚、保持片１ａ、１ｂは、弾力性を持たせる為材料にナイロン樹脂を使用する。
【０００８】  図２は、筆記具を保持する本体１の背面図でマグネット２が中央に位置しておりマグネット２を指定された場所に確りと合わせて保持具本体１を固定する。利用する時は、鉄・コバルトやニッケル等磁石の効果がある場所を選び保持具本体１を確りと合わせて保持具本体１を固定する。
【０００９】  図３は、保持具本体１に示す様にマグネット２は、前面側の径寸に比べ背面側の径が小径の段違い円柱径の中に圧入されているが、接着剤を併用使用しても良く、また、その上プラス安全策として小さなマグネット脱落防止リング状突起３を以てマグネット２の脱落を防止する。
【００１０】  図４は、筆記具を保持する本体１に筆記具４がセットされた図で、４は筆記具、４ａは、保持具本体１を固定する媒体４ａを示す。例えば、この媒体４ａはマグネット２を固定できるもので、例えば商品倉庫の鉄製棚の側面などが該当する。
【符号の説明】１    筆記具を保持する本体
１ａ  筆記具を保持するための保持片
１ｂ  筆記具を保持するための保持片
１ｃ  保持具本体の内側
２    マグネット
３    マグネット脱落防止リング状突起
４    筆記具
４ａ  保持具本体１を固定する媒体
【図１】
2018192777.tif 000003
【図２】
2018192777.tif 000004
【図３】
2018192777.tif 000005
【図４】
2018192777.tif 000006
(57)【要約】【課題】  学習用対戦カードゲームにおいて、戦闘部分をクイズバトルにすることを可能とするカードの構造で、プレイ中はカードが表向きであっても裏向きであっても相手に問題と解答が見えないようになっていて、必要な時だけ問題と解答を取り出して出題者だけが見れるようにするものを提供する。【解決手段】  裏面に問題と解答を記した学習カード（１）を、表面が透明で裏面が不透明のカードスリーブ（２）の中に問題と解答が隠れるように入れ、必要な時だけその問題と解答を取り出すことができる、カード構造を特徴とする。【選択図】図２
2018192224.tif 000002
【特許請求の範囲】
【請求項１】
裏面に問題と解答を記した学習カード（１）を、表面が透明で裏面が不透明のカードスリーブ（２）の中に問題と解答が隠れるように入れ、必要な時だけその問題と解答を取り出すことができる、カード構造。
【請求項２】
２人のプレイヤーが、それぞれ複数枚で構成された歴史人物カードのセットから複数枚の手札を取り、互いに一枚ずつ歴史人物カードを選択してプレイフィールドに出し、交互に攻撃ターンと防御ターンを繰り返し、防御側のプレイヤーが出すクイズに攻撃側のプレイヤーが正解すれば、攻撃側は相手の歴史人物カードを倒し、不正解なら正解の解答を防御側に教えてもらうことを義務付け、後の攻撃ターンで正解できるよう解答を覚えようとする動機付けを強めることで、高い学習効果を得られる、請求項１のカード構造を持つ歴史人物対戦カードゲームのプレイ方法。
【請求項３】
歴史人物毎の特徴に合わせた技（効果であり、ゲーム中に使用することができ、ゲームの進行を有利に運ぶ力を持ち、またゲームのかけひきを豊富にしてその遊戯性を高め、技によってはその名自体が重要な歴史のキーワードであり学習効果も持つ）を記載した歴史人物カードを使った、請求項１のカード構造を持つ歴史人物対戦カードゲーム。
【請求項４】
請求項１のカード構造を持つ学習用対戦カードゲーム。
【請求項５】
請求項２のルールを用いて、媒体を携帯端末やゲーム機などの機器に置き換えた、学習用対戦カードゲーム。
【請求項５】
請求項３の特徴を用いて、媒体を携帯端末やゲーム機などの機器に置き換えた学習用対戦カードゲーム。
【発明の詳細な説明】
【技術分野】
【０００１】  この発明は、遊びながら学習内容をより確実に覚えることができる、対戦カードゲームに関するものである。
【背景技術】
【０００２】  従来、学習用対戦カードゲームは、ゲーム中に知識を得ることが対戦の勝敗を直接左右することが少ないため、高い学習効果を期待できなかった。
【発明の概要】
【発明が解決しようとする課題】
【０００４】  これは、次のような欠点があった。
従来、学習用対戦カードゲームは、ゲームに勝利することとゲーム中に知識を得ることとに、強い結びつきが無かった。カードに記載している豆知識などをその場で確認しながらゲームを進めることはあっても、覚えたかどうか確認する機会が無く、そのため、ゲームに勝利することに専念した場合、知識を得ることは難しかった。
本発明は、以上のような欠点をなくすためになされたものである。
【課題を解決するための手段】
【０００５】  対戦ルールの中に学習クイズを取り入れることに加え、そのクイズの解答が相手に見えないカード構造を構成した上で、クイズに正解する＝勝利に近づくというゲームシステムを構築する。さらに、ゲーム中に新たな知識を得るチャンスを盛り込む。
【発明の効果】
【０００６】  ゲーム中に知識を得ることこそが勝利につながるため、プレイする度に確実に知識の定着が図れる。
【図面の簡単な説明】
【０００７】
【図１】本発明の正面図である。
【図２】本発明の裏面図である。
【発明を実施するための形態】
【０００８】  以下、本発明を実施するための形態について説明する。
カード（１）の裏面に、問題と解答を記載する。このカード（１）をカードスリーブ（２）（表面が透明で裏面が不透明になっている、袋状のカードケース）に問題と解答が隠れるように入れる。
対戦カードゲームのバトル部分をクイズ形式にして、その際、カードスリーブ（２）から中のカード（１）をスライドさせて出し、裏面に記載されている問題を確認し、クイズとして交互に相手に出し合う。不正解なら正解を相手に教えてもらえることを義務づけ、その後正解しなければ勝利に近づけないゲームシステムを構築することで、解答を覚える動機付けを図り、学習効果を高める。
【符号の説明】
【０００９】  １  カード
２  カードスリーブ
【図１】
2018192224.tif 000003
【図２】
2018192224.tif 000004
(57)【要約】【課題】小型で軽量で持ち運ぶ事ができ、手の指の力だけでできる肩ツボ押し器がなかったのでここに提供する。【解決手段】バルブ付きボムポンプを手の指で押圧することによってジャバラ式シリンダーに空気を送り出力を倍増させてピストンロッドを押し連結してあるアームを利用してテコの原理によりツボを押す力を倍増させて使用する。【選択図】図２
2018192225.tif 000002
【特許請求の範囲】
【請求項１】
バルブ付きゴムポンプを手の指で押圧することによってジャバラ式シリンダーに空気を送り込み出力を倍増させてその先にあるピストンロッドを押し先端に連結してあるアームを利用してテコを原理により更にツボを押す力を倍増させる肩ツボ押し器。
【請求項２】
バルブ付きゴムポンプを手の指で押圧することによってジャバラ式シリンダーに空気を送り込み出力を倍増させてその先にあるピストンロッドを押し先端に連結してあるアームを利用してテコの原理により更にツボを押す力を倍増させる方法。
【請求項３】
バルブ付きゴムポンプによる肩ツボ押し器。
【発明の詳細な説明】
【技術分野】
【０００１】本発明は手の指だけで簡単に肩ツボを押すことができる肩ツボ押し器に関するものである。
【背景技術】
【０００２】近年パソコン等の普及により肩コリ等の症状を訴える人が多くなり、又高齢化社会になり肩コリ等の症状を訴える人が多くなった。
このため簡単にでき又持ち運ぶことができる肩のツボを押す機器が必要となった。
【発明の概要】
【発明が解決しようとする課題】
【０００３】従来の肩ツボ押し器は大きすぎて持ち運ぶことができず値段が高かった。又簡単なものは腕の力で押すので疲れ易く長続きはしなかった。
【課題を解決するための手段】
【０００４】バルブ付きゴムのポンプを手の指で押圧することによってジャバラ式シリンダーに空気を送り込み出力を倍増させてその先にあるピストンロッドを押し先端に連結してあるアームを利用してテコの原理により更にツボを押す力を倍増させて効果を最大限に発揮できるようにするものである。
【発明の効果】
【０００５】本発明はバルブ付きゴムポンプによって、手の指の力だけでジャバラ式シリンダーに空気を送り込みパスカルの原理によって圧力を倍増させ、更にテコの原理によって押す力を倍増させて弱い力で肩のツボを押すことができる。
又バルブを調整する事によって動作を連続して行うことができる手の指の運動にも効果的である。
【図面の簡単な説明】
【０００６】
【図１】この発明の正面図
【図２】この発明の断面図
【図３】この発明の左側面図
【図４】この発明の右側面図
【発明を実施するための形態】
【０００７】以下本発明の実施を説明する
【０００８】図に於いてバルブ１２付きゴムポンプ１１の先端に柔軟なホース１３がついている更にホース１３はジャバラ式シリンダー２に接合してあるジャバラ式シリンダー２の先端にはピストンロッド３が嵌合してあり更にアーム６とピン５を介して連結してあるアーム６は途中でピン７で留めてありアーム６の先端はテコの原理で押し棒８に当たるようになっている。
尚ピストンロッド３にはコイルスプリング４が装着してある。
【０００９】以下上記構成の動作を説明する。
バルブ１２付きゴムポンプ１１を手の指で押圧するとホース１３を伝って空気が移動しジャバラ式シリンダー２の中に空気が入るこれを何回も繰り返すとジャバラ式シリンダー２は膨張しピストンロッド３を押す。ピストンロッド３の矢端にはピン５を介してアーム６が連結してあり途中のピン７の位置によってテコの原理が働き押す力を倍増させることができる。
アーム６の先端は押し棒８に当るようになっているそうすると押し棒８が動き肩のツボを押すことができる。
反対側には体に直接当ると痛いので柔らかいスポンジ状の受け皿８が取り付けてある。バルブ１２を緩めるとコイルスプリング４の作用で自然に元の状態に戻る。
【符号の説明】
【００１０】  １  肩ツボ押し器本体
２  ジャバラ式シリンダー
３  ピストンロッド
４  コイルスプリング
５  ピン
６  アーム
７  ピン
８  押し棒
９  受け皿
１０  握手
１１  ゴムのポンプ
１２  バルブ
１３  ホース
【図１】
2018192225.tif 000003
【図２】
2018192225.tif 000004
【図３】
2018192225.tif 000005
【図４】
2018192225.tif 000006
(57)【要約】      （修正有）【課題】アベノミクスを成功させる方法を提供する。【解決手段】日本銀行が賭博を用いて市場に資金を供給しインフレを発生させ日本国政府は消費税増税を実施インフレを抑制する、このサイクルを繰り返す事で国家財政の再建が可能に成る。【選択図】なし【特許請求の範囲】
【請求項１】
中央銀行が賭博を用いて市場に資金供給、及び市場から資金回収を行う方法、及びアイデア
【請求項２】
中央銀行が賭博を用いて市場に資金を供給をした後、政府が消費税増税を実施する方法、及びアイデア
【発明の詳細な説明】
【技術分野】
【０００１】経済政策、及び財政再建に関する物である。
【発明の概要】
【発明が解決しようとする課題】
【０００２】アベノミクスは金融緩和を主体とした経済政策である。
中央銀行による金融緩和は、政策金利、株式市場、債券市場、為替市場、市中銀行を用いて市場に資金を供給し行われる。
各種市場に投資を行い市中銀行から無担保融資を受けるのは富裕層が大多数であり、中間層以下に対し資金供給する事が出来ず、インフレ率２％を維持できないデフレからの脱却が出来ていない状況下で消費税増税を実施するとデフレが加速し景気の後退を招き税収全体が低下してしまう為、財政再建は不可能である。
【課題を解決するための手段】
【０００３】（公序良俗違反につき、不掲載）何故なら副作用で円高に成り、さらに資金供給を受けた労働者が賭博場で摩ってしまい消費に繋がらず消費税増税もあり公共投資の効果を吸収されてしまった結果賭博場に過去最高益を齎し、（公序良俗違反につき、不掲載）賭博には政府が行う公共投資を相殺する力があり、この力を反対に使い中央銀行が賭博を用いて市場に資金を供給する事で公共投資と同等の効果を市場に与えられ、また財源が異なる為、国家財政の悪化や副作用の回避が可能である。統計に依ると賭博を好む層は所得、及び貯蓄傾向が低く消費傾向が高い事が判明しており、この層に対し資金を供給する事で富裕層、中間層、貧困層全ての層に資金供給、及び資金回収が出来る為、中央銀行の意の侭に物価の操作を可能にする。
【発明の効果】
【０００４】日本銀行が賭博を用いて市場に資金を供給しインフレを発生させ日本国政府は消費税増税を実施インフレを抑制する、このサイクルを繰り返す事で国家財政の再建が可能に成る。（公序良俗違反につき、不掲載）
(57)【要約】      （修正有）【課題】凹凸等の突起物で一般歩行者を含め歩行上不具合がある現用の視覚障害者用ブロックに代え、視覚障害者の安全歩行を可能にする視角障害者用道路の識別装置を提供する。【解決手段】磁性材を含有した道路舗装用アスフアルト道路７を使用し、道路が発する磁気の有無を杖２に設置された磁気検知装置８で検出し、その信号を音声等に変え使用者に知らせる。また、磁気を履物に設置された磁気検出装置で検出し、その信号を音声等に変え使用者に知らせる。【選択図】図３
2018106657.tif 000002
【特許請求の範囲】
【請求項１】
磁性材を含有した道路舗装用アスフアルトを使用し、該道路７が発する磁気の有無を杖２に設置された磁気検知装置８で検出し，その信号を音声等に変え使用者に知らせることを特徴とする視覚障害者用道路の識別装置。
【請求項２】
磁性材を含有した道路舗装用アスフアルトを使用し、該道路７が発する磁気を履物１０に設置された磁気検知装置９で検出し、その信号を音声等に変え使用者に知らせることを特徴とする視覚障害者用道路の識別装置
【請求項３】
（請求項１）、（請求項２）に使用する磁性材を砂鉄等の強磁性材に替え、該磁性材が有する、吸着力の有無を、杖の先端、又は履物の底などに、設置されたマグネット等の吸着装置８ｂ、９ｂで感知し、使用者に知らせることを特徴とする視覚障害者用道路の識別装置
【請求項４】
上記各項に使用の磁性材の磁気含有量を増減し、検知する信号の強度を変ることを特徴とする視覚障害者用道路の識別装置
【請求項５】
磁性材を含有した道路舗装用アスフアルト道路が、任意の形状、サイズ、厚さ等に収まることを特徴とする視覚障害者用道路の識別装置
【発明の詳細な説明】
【技術分野】
【０００１】  この発明は、磁性材を含有する道路舗装用アスフアルトを用いた視覚障害者用道路の識別装置に関する。
【背景技術】
【０００２】  視覚障害者用道路の識別装置には、一般に図１、図２に示すような点字ブロック３がある。該視覚障害者はこの点字ブロックの凹凸の突起物を、杖でたどりながら歩行している。
【先行技術文献】
【特許文献】
【０００３】
【非特許文献】
【０００４】
【発明の概要】
【発明が解決しようとする課題】
【０００５】  しかしながら、一般人には、この点字ブロックが路面上に露出しているため折角の平坦な道路は狭められ、止む無くこの点字ブロックを歩く場合、女性のハイヒールなどでは、足を取られる等の不具合があり、点字ブロックに替わるより安全なものが必要とされていた。
以上の課題を解決するために、本発明は点字ブロックの替りに磁性材を含有した道路舗装用アスファルトを使用し、このアスファルト道路が発する磁気の有無又は吸着力を検知して道路の識別をおこない視覚障害者の安全歩行を可能にしようとするものである。
【課題を解決するための手段】
【０００６】  以上の課題を解決するために、本発明の第１の解決法によれば、図１の点字ブロック３の凸部５を取り除き、その後に、図３の磁性材を含有させた道路舗装用アスフアルトを塗布若しくは圧入させ、その道路が発する磁気の有無を検知し、その検知信号を歩行者に伝達し、歩行の安全性を提供するものである。
第２の解決法では、含有する磁性材を砂鉄等の強磁性材に替え、該磁性材が有する、吸着力の有無を検知し、その検知信号、すなわち、吸着力が直接、歩行者に伝達され歩行の安全性を提供するものである。
【発明の効果】
【０００７】  本発明によれば、図３、図４の道路７は、図１、図２の点字ブロック３の凸５のような、突起物はなく、一般道路４と同じ平面になり、視覚障害者をはじめ一般歩行者の歩行の不具合も解消される。
さらに、道路７は、任意のサイズ、厚さ、の形状に収まり、アスフアルト材の材料によっては、可撓性の長尺のシート等も製作可能で、病院の通路等公共施設の道路７として、使用範囲を広げることができる。
蛇足ではあるが、当該、道路７の存在を知らせるために道路表面には適当な着色を施す等の対策が必要である。
【図面の簡単な説明】
【０００８】
【図１】は、現在実用されている点字ブロックの使用例で正面の断面図
【図２】は、斜視図。
【図３】は、本発明の一実施形態を示す正面の断面図
【図４】は、斜視図。
【図５】は、杖の拡大図
【図６】は、履物の拡大図
【図７】は磁性材の含有量を変えた場合の側面図
【図８】は、斜視図。
【図９】は、強磁性材を用いた杖の拡大図
【図１０】は、強磁性材を用いた履物の拡大図
【図１１】は、
【発明を実施するための形態】
【０００９】  本発明第１の解決法の一実施形態を、図３、図４、に示す。
図１で既設の点字ブロック３の凸部５を連続して削り取り図３、図４の平面部７のようにする。この平面部７に、磁性材を含有した道路舗装用アスフアルトを塗布または圧入して磁性材を含有した道路舗装用アスフアルト道路７―以下道路７と略す。―に仕上げる。
【００１０】  一方、該視覚障害者には、道路７が発する微弱な磁気を検知できる磁気検知装置８を図５の杖２に、又は図６の履物１０の底部１１に磁気検知装置９として、それぞれ装着し、これらの検知信号を音声変換装置―図示せず―で音声に、または振動変換装置‐図示せず‐で振動にそれぞれ変換すれば、視覚障害者用道路として識別することが出来る。
【００１１】  さらに、上記実施形態（０００９）において、例えば、図７、図８の道路７の前方に障害物１５等がある場合、道路７の磁気含有量を図９の図表で示す７ａから１４ａのように段階的に増加すれば、これに応じて図７、図８の磁気検知装置８又は９の検知強度も強くなり前方に存在する障害物１５等の予知が可能になる。
【００１２】  本発明第２の解決法の一実施形態を、図１０、図１１、に示す。
前項の実施形態（０００９）の磁性材の替りに、吸引力を有する、例えば図１０の砂鉄などの強磁性材を含有する舗装用アスフアルト道路７ｂを用い、杖２の先端に吸着力を有するマグネット等の吸着装置８ｂを設置すれば、杖２の先端は道路７ｂに吸着され、直接、該視覚障害者に感知され、視覚障害者用道路として識別することができる。
同様に、図１１の履物１０の底部１１に吸着装置９ｂを設置すれば、履物１０の底部１１は吸着装置９ｂを通して、道路７ｂに吸着され、直接、該視覚障害者に感知され、視覚障害者用道路として識別することができる。
【００１３】  前項（００１２）に於ける前方の障害物等の予知手段に対しては、（００１１）記載の磁気含有量の文字を強磁性材の含有量に変え、検知強度を吸着力に変えて処置することで同様の効果が得られる。
【符号の説明】
【００１４】３  点字ブロック    ４  一般道路    ５  凸部    ８  磁気検知装置
８ａ  吸着装置    １４  強磁性道路
【図１】
2018106657.tif 000003
【図２】
2018106657.tif 000004
【図３】
2018106657.tif 000005
【図４】
2018106657.tif 000006
【図５】
2018106657.tif 000007
【図６】
2018106657.tif 000008
【図７】
2018106657.tif 000009
【図８】
2018106657.tif 000010
【図９】
2018106657.tif 000011
【図１０】
2018106657.tif 000012
【図１１】
2018106657.tif 000013
(57)【要約】【課題】  スマートフォンなど（以下スマホ）の画面の縦横を自動回転させることは、現在はジャイロでスマホ自身の姿勢を認識して、物理的に上部を上として自動回転させている。しかし、ユーザが横たわているときなど、意図しない回転をすることがある。【解決手段】  スマホのカメラ機能で顔認識をして、ユーザとの相対的な位置で上部を決める。これによりユーザが横たわっていてもユーザが見やすい方向に自動回転する。【選択図】図１
2018116668.tif 000002
【特許請求の範囲】
【請求項１】
スマートフォン等（以下スマホ）の画面回転をスマホ自身の物理的な姿勢ではなく、ユーザとスマホの相対的な姿勢をスマホの顔認識で認識してユーザの見やすい画面回転とする。
【発明の詳細な説明】
【技術分野】
【０００１】  本発明は、スマートフォンなど（以下スマホ）の画面を上下を定義することを物理的な上下ではなく、相対的なユーザの顔の位置で決定する手段である。
【発明の概要】
【発明が解決しようとする課題】
【０００２】  現行の画面の自動回転はスマホ本体の物理的な姿勢を検知して、上下を定義している。しかし、ユーザが横たわっていたりしている場合など、ユーザにとって不本意な方向の画面回転になる。
【課題を解決するための手段】
【０００３】  本発明は、スマホ本体の物理的な姿勢ではなく、スマホがユーザの顔を認識してユーザとスマホの相対的な姿勢を認識してユーザの見やすい画面回転を行う。
【発明の効果】
【０００４】  本発明により、ユーザが横たわっているときなど、ユーザが意図しない方向に画面が回転してしまうことを防止して、ユーザの顔の方向に合わせた画面回転を実現できる。
【図面の簡単な説明】
【０００５】
【図１】  ユーザが横たわっている場合の画面回転の例である。ユーザが横たわっている場合、絶対的な上下とユーザの顔の上下が一致しないことがある。このような例でもユーザの見やすい方向に画面回転することができる。
【図１】
2018116668.tif 000003
(57)【要約】      （修正有）【課題】同一の発光色のＬＥＤを１個または複数実装したＬＥＤ光源回路で、回路を複雑化することなく照明色を可変することが出来るＬＥＤ照明装置を提供する。【解決手段】ＬＥＤ照明装置は、ＬＥＤが配置されているＬＥＤ光源回路５と、ＬＥＤ光源回路に配置されているＬＥＤ６から発する光の波長を変化させることができる膜４を有する調色板３と、調色板３の不要な膜４を塞ぐための調色板カバー２と、調色板３を可動できる機構を備える。【選択図】図１
2018116789.tif 000002
【特許請求の範囲】
【請求項１】
１つ以上のＬＥＤが配置されているＬＥＤ光源回路と、前記ＬＥＤ光源回路に配置されている前記ＬＥＤから発する光の波長を変化させる膜を有する調色板と、前記調色板の不要な膜を塞ぐための調色板カバーと、前記調色板を可動出来る機構を備えることを特徴とするＬＥＤ照明装置。
【請求項２】
前記調色板の前記膜が連続的に広い範囲に設けられ、前記膜は色にグラデーションがついたものであることを特徴とする請求項１に記載のＬＥＤ照明装置。
【請求項３】
前記調色板が複数枚配置されることを特徴とする請求項１または２のＬＥＤ照明装置。
【発明の詳細な説明】
【技術分野】
【０００１】
本発明はＬＥＤ照明装置に関するものである。
【背景技術】
【０００２】
ＬＥＤ照明は１個または複数のＬＥＤを直列又は並列に並べたものを点灯させている。この複数のＬＥＤを点灯させる際に、直列または並列に並べられているＬＥＤ光源に直流の定電流又は定電圧を等しくなる様に印加して光束を一定に保つように制御しなければならない。さらに、製品の照明色を決定する際に、ＬＥＤ自体の発光色またはＬＥＤを保護しＬＥＤの発光を透過出来る膜（例えば、アクリル版）に色を付けて照明色を決定している。また、発色の異なるＬＥＤをマイコン制御で流す電流を可変することにより照明色を変更・決定している。ＬＥＤ照明装置の例としては特許文献１が挙げられる。
【先行技術文献】
【特許文献】
【０００３】
【特許文献１】特開２００７−２００７２３号公報
【発明の概要】
【発明が解決しようとする課題】
【０００４】
照明色を決定するに当り、単色発光またはマイコン制御での変色は可能だが、製品コストＵＰおよび製品の照度が下がる等の恐れがある。
【０００５】
本発明の目的は、ＬＥＤの数量及び発光色を変えず、マイコン制御無しで製品の照明色を可変出来るＬＥＤ照明装置を提供することにある。
【課題を解決するための手段】
【０００６】
本発明は、上記目的を達成する為に、以下のＬＥＤ照明装置を提供する。
【０００７】
ＬＥＤが配置されているＬＥＤ光源回路と、ＬＥＤ光源回路に配置されているＬＥＤから発する光の波長を変化させることができる膜を有する調色板と、調色板の不要な膜を塞ぐための調色板カバーと、調色板を可動出来る機構を備え、調色板が可動することにより色の異なる膜がＬＥＤに覆い被さることによって照明色が可変できることを特徴とするＬＥＤ照明装置。
【０００８】
前記調色板の膜が連続的に広い範囲に設けられ、色にグラデーションを持たせた膜を実装することにより、照明色を連続的に可変出来ることを特徴とするＬＥＤ照明装置。
【０００９】
前記調色板が複数枚配置され、照明色のバリエーションを増やすことができることを特徴とするＬＥＤ照明装置。
【発明の効果】
【００１０】
請求項１記載のＬＥＤ照明装置によれば、調色板を可変することで照明色を可変することができる。
【００１１】
請求項２記載のＬＥＤ照明装置によれば、調色板の広範囲の膜によって、調色板を可変することで連続的に照明色を可変することができる。  
【図面の簡単な説明】
【００１２】
【図１】本発明に係るＬＥＤ照明装置の一実施例を示す図である。
【図２】図１における一構成例を示す図である。
【発明を実施するための形態】
【００１３】
以下では、添付した図面を参考として本発明の電球形ＬＥＤでの実施例について説明する。しかし、本発明は多様な違う形態に実現可能なため、ここで説明する実施例に限定されるわけではない。
【００１４】
図１は、本発明に係るＬＥＤ照明装置の内、電球形ＬＥＤの実施例１を示す図で、本発明の詳しい実施例である。図示のように、参照符号１は電球グローブ、２は調色板カバー、３は調色板、４は膜、５はＬＥＤが１個または複数実装されているＬＥＤ光源回路、６はＬＥＤ、７は電源基板、８は電球筐体、９は口金である。
【００１５】
本実施例のＬＥＤ照明装置は、図示のように、電球グローブ１と電球筐体８と口金９を備え、電源回路７から出力された電流によりＬＥＤ光源回路５上のＬＥＤ６を発光することができ、ＬＥＤ６から発せられた光を調色板カバー２に覆われた調色板３の膜４を通ることで照明色を可変することを行うものである。調色板３は円形の板にＬＥＤ光源回路５上に実装されたＬＥＤ６よりも多くの孔とその孔に設けられた膜４を備えたものである。図１ではＬＥＤ６の倍の孔と、孔４へ交互に設けられている２色の膜４と、が設けられているがこの限りではない。調色板カバー２は円形の板にＬＥＤ光源回路５上に実装されたＬＥＤ６と同数の孔を備えるものであり、調色板３の不要な膜４（ＬＥＤ６が位置していない膜４）を塞ぐためのものである。また、図示していないが調色板３を可動出来る機構を備える。
【００１６】
図１に示すように、ＬＥＤ光源回路５に実装されているＬＥＤ６の数量に対し倍数の色の異なる膜４を設けた調色板３を被せ、調色板３が回転するごとにＬＥＤ６を覆う膜が替わり照明色を変化させることができる。
【００１７】
ＬＥＤ光源回路５に実装されているＬＥＤ６と調色板３の膜４は、例えば白色ＬＥＤとＮ色，Ｌ色の膜の組合せや、紫外光ＬＥＤと異なる色に発光する蛍光体の膜の組合せなど、ＬＥＤの発光色に関係せず様々な組合せが可能である。
【００１８】
１つ以上のＬＥＤ６が配置されているＬＥＤ光源回路５と、ＬＥＤ光源回路５に配置されているＬＥＤ６から発する光の波長を変化させる膜４を有する調色板３と、調色板３の不要な膜４を塞ぐための調色板カバー２と、調色板３を可動出来る機構を備え、調色板３が可動することにより色の異なる膜４がＬＥＤ６に覆い被さることによって照明色が可変できることを特徴とするＬＥＤ照明装置である。
【００１９】
図２は、図１における調色板３の孔及び膜４を広げた調色板１３と膜１４を備えた実施例である。膜１４の膜色にグラデーションをつけることで連続的に照明色の色彩を可変できるようにさせることを可能とするものである。１０はＬＥＤ光束収束板であり、円形の板にＬＥＤと同じ程度の大きさの孔を備えている。ＬＥＤ光束収束板１０は調色板１３とＬＥＤ光源回路５との間に位置し、調色板１３における膜１４の中で希望する照明色の色彩以外にＬＥＤ６からの光が拡散することを防ぐ効果を奏する。
【００２０】
また、調色板３を複数数重ね併せることで複数の調色板３の膜４の組合せによって照明色のバリエーションを増やすことも可能である。
【符号の説明】
【００２１】
１・・・電球グローブ
２・・・調色板カバー
３、１３・・・調色板
４、１４・・・膜
５・・・ＬＥＤ光源回路
６・・・ＬＥＤ
７・・・電源基板
８・・・電球筐体
９・・・口金
１０・・・ＬＥＤ光束収束板
【図１】
2018116789.tif 000003
【図２】
2018116789.tif 000004
(57)【要約】【課題】  ＬＥＤ駆動回路を一定周期で間欠動作させることで調光するＬＥＤ照明器具において、明暗差の低減と、明暗周期の短縮により、使用者にちらつきを感じさせない調光制御を容易にする。【解決手段】  複数のＬＥＤ駆動回路を、それぞれ位相をずらして一定周期で間欠動作させることで、足し合わせた器具出力の変動周期と変動幅が小さくなり、明暗差の低減、および明暗周期の短縮によりちらつき感が低減できる。【選択図】図１
2018116788.tif 000002
【特許請求の範囲】
【請求項１】
一台の器具に複数のＬＥＤ駆動回路を搭載するＬＥＤ照明器具において、
前記複数のＬＥＤ駆動回路は、一定周期で間欠的に動作することで調光可能であり、
前記複数のＬＥＤ駆動回路は、調光時における各ＬＥＤ駆動回路の間欠的な動作周期の位相がそれぞれ異なることを特徴とするＬＥＤ照明器具。
【発明の詳細な説明】
【技術分野】
【０００１】
本発明は、ＬＥＤ照明器具に関するものである。
【背景技術】
【０００２】
ＬＥＤ照明器具において、調光機能を実現する方法の一つとして、ＬＥＤ駆動回路を一定周期で間欠的に動作させ、一周期における動作休止期間の比率を調整することで調光制御する方式が知られている。
【先行技術文献】
【特許文献】
【０００３】
【特許文献１】特開2012-59662号公報
【発明の概要】
【発明が解決しようとする課題】
【０００４】
ＬＥＤ駆動回路を一定周期で間欠的に動作させる方式は、一周期ごとに明暗を繰り返すことになり、明暗差が大きいほど、また明暗の周期が長いほど、使用者がちらつきとして感じやすくなる。一方で、間欠動作周期は長い方が安定動作しやすく、またＬＥＤ駆動回路がスイッチングレギュレート方式の回路であった場合、間欠動作周期はスイッチング周期より十分大きくなければならない。本発明は、明暗差の低減と、明暗周期の短縮によるちらつき感の低減を目的とする。
【課題を解決するための手段】
【０００５】
一台の器具に、一定周期で間欠的に動作することで調光する複数のＬＥＤ駆動回路を搭載する照明器具で、調光時における複数のＬＥＤ駆動回路の間欠動作周期の位相がそれぞれ異なることを特徴とする。
【発明の効果】
【０００６】
本発明によれば、一台の照明器具に搭載された複数のＬＥＤ駆動回路における間欠動作周期の位相をずらすことにより、照明器具の明暗差を低減することができ、また明暗周期をＬＥＤ駆動回路の間欠動作周期よりも短くすることが可能となることにより、使用者にちらつきを感じさせない調光制御が容易になる。
【図面の簡単な説明】
【０００７】
【図１】本発明の一実施例の構成例を示す図である。
【図２】ＬＥＤ光源１１〜１３、およびＬＥＤ照明器具１の出力波形を示す。
【図３】図１とは異なる本発明の一実施例の構成例を示す図である。
【発明を実施するための形態】
【０００８】
本実施形態の一例を、図１、図２を用いて説明する。
【０００９】
ＬＥＤ照明器具１は、制御信号発生器２、ＬＥＤ光源１１〜１３、ＬＥＤ駆動回路２１〜２３を備え、制御信号発生器２の制御信号によりＬＥＤ駆動回路２１〜２３を制御する。制御信号発生器２がＬＥＤ駆動回路２１〜２３に送信する制御信号は周期、動作休止期間を同一とするが、位相をそれぞれ１／３周期分ずつずらした信号である。
【００１０】
この実施例において、個々のＬＥＤ光源の出力周期、すなわちＬＥＤ駆動回路の動作周期に対して、各々足し合わせたＬＥＤ照明器具としての出力周期は１／３となり、またＬＥＤ照明器具の出力変動幅は１００％出力時の１／３となり、明暗差の低減、および明暗周期の短縮によりちらつき感を低減できる。
【００１１】
なお、図１においては、ＬＥＤ駆動回路２１〜２３は抵抗により電流制限する方式であり、また各駆動回路が個別のＬＥＤ光源を駆動しているが、ＬＥＤ駆動回路の方式、およびＬＥＤ光源の数は問わず、例えば図３に示すように駆動回路２１〜２３はスイッチングレギュレート方式のものでもよく、また複数の駆動回路２１〜２３の駆動電流を足し合わせて一つのＬＥＤ光源１０を駆動してもよい。
【符号の説明】
【００１２】
１  ＬＥＤ照明器具
２  制御信号発生器
１０〜１３  ＬＥＤ光源
２１〜２３  ＬＥＤ駆動回路
【図１】
2018116788.tif 000003
【図２】
2018116788.tif 000004
【図３】
2018116788.tif 000005
(57)【要約】【課題】樹脂製カバーを採用している一般の光源を利用し、非常時における高温環境において器具内部の温度上昇を抑制することにより樹脂カバーの変色、変形による光源の明るさ低下不具合を防ぎ、非常時の明るさを確保することを特徴とする照明器具を提供する。【解決手段】  筐体に配置された発光素子と前記発光素子を覆う樹脂カバーを有する光源と、前記光源を点灯する点灯装置と、外部電源により充電されるバッテリと、前記外部電源の停電時、または前記発光素子または前記バッテリの点検時に、前記バッテリにより前記光源を点灯させる充電点灯装置と、を備え、前記光源の外郭を金属及びガラスで構成されるカバーにて覆う。【選択図】図１
2018116790.tif 000002
【特許請求の範囲】
【請求項１】
筐体に配置された発光素子と前記発光素子を覆う樹脂カバーを有する光源と、前記光源を点灯する点灯装置と、外部電源により充電されるバッテリと、前記外部電源の停電時、または前記発光素子または前記バッテリの点検時に、前記バッテリにより前記光源を点灯させる充電点灯装置と、を備え、
前記光源の外郭を金属及びガラスで構成されるカバーにて覆うことを特徴とする照明器具。
【発明の詳細な説明】
【技術分野】
【０００１】
本発明は、照明器具に関するものである。
【背景技術】
【０００２】
従来、階段踊り場等の壁面に設置する防災用の照明器具の光源は、蛍光灯のものが主流であった。蛍光灯は火災などの非常時における高温環境でも安定した明るさを確保することができるためである。
【０００３】
近年、照明器具の省エネルギーの化により、前記蛍光灯に変わりLED等の発光素子を光源とした照明器具が普及している。LEDは省エネルギー、長寿命の観点から、蛍光灯に変わる光源として、照明器具のシェアを広げている。
【先行技術文献】
【特許文献】
【０００４】
【特許文献１】特開２０１６−１１０９５５号公報
【発明の概要】
【発明が解決しようとする課題】
【０００５】
従来は、火災などの非常時における高温環境でも安定した明るさを確保することができることから蛍光灯を光源とする防災用の照明器具が普及していた。近年は省エネルギーの観点から、光源が蛍光灯からLED等の発光素子を採用した照明器具が普及しており、前記防災用の照明器具に関しても、発光素子の採用を検討していたが、樹脂カバーの採用などにより、高温環境でも安定した明るさを確保することが検討課題であった。
【０００６】
本案では、樹脂製カバーを採用している一般の光源を利用し、非常時における高温環境において器具内部の温度上昇を抑制することにより樹脂カバーの変色、変形による光源の明るさ低下不具合を防ぎ、非常時の明るさを確保することを特徴とする照明器具の提供を目的とする。
【課題を解決するための手段】
【０００７】
筐体に配置された発光素子と前記発光素子を覆う樹脂カバーを有する光源と、前記光源を点灯する点灯装置と、外部電源により充電されるバッテリと、外部電源の停電時または前記発光素子または前記バッテリの点検時に、バッテリにより前記光源を点灯させる充電点灯装置とを備え、前記光源の外郭を金属及びガラスにて覆うことにより、火災等の非常時における、樹脂カバーの変色、変形による光源の明るさ低下不具合を防ぎ、所期の明るさを確保することを特徴とする照明器具。
【発明の効果】
【０００８】
本発明によれば、樹脂製カバーを採用している一般の光源を利用し、光源の外郭を金属及びガラスで構成されるカバーにて覆うことにより、非常時における高温環境において樹脂カバーの変色、変形による光源の明るさ低下不具合を防ぎ、所期の明るさを確保することを特徴とする照明器具を得ることができる。
【図面の簡単な説明】
【０００９】
【図１】本発明の照明器具の斜視図である。
【図２】本発明の照明器具の断面図である。
【図３】本発明の照明器具の背面図である。
【発明を実施するための形態】
【００１０】
以下、本発明の実施例を添付図面に従って説明する。
【００１１】
図１から図３は本発明の一実施例である。
【００１２】
図１は本発明の防災用の照明器具の外観図を示し、金属製の枠２２、ガラスパネル２１によるカバー２０により外郭は構成され、壁面に施工される。
【００１３】
図２は本発明の断面図を示している。筐体１１に配置された発光素子１２と、発光素子１２を覆う樹脂カバー１３を有する光源１０を、器具本体３０に固定し、光源１０を覆うようにカバー２０にて器具本体３０に固定するものである。
【００１４】
これにより、光源１０の周りの器具内部空間９０は器具外部空間１００と区分され、火災等の非常時における高温状態に外部空間１００がさらされる状態においても、内部空間９０は直接外部の温度上昇にさらされることなく、光源１０の樹脂カバー１３の変形、変色による明るさ低下を避け、明るさを確保することが可能となる。
【００１５】
筐体１１に配置された発光素子１２と前記発光素子１２を覆う樹脂カバー１３を有する光源１０と、前記光源１０を点灯する点灯装置４０と、外部電源により充電されるバッテリ６０と、外部電源の停電時または前記発光素子１２または前記バッテリ６０の点検時に、バッテリ６０により前記光源１０を点灯させる充電点灯装置５０とを備え、前記光源１０の外郭を金属及びガラスで構成されるカバー２０にて覆うことにより、火災等の非常時における、樹脂カバー１３の変色、変形による光源１０の明るさ低下不具合を防ぎ、非常時の明るさを確保することができる。
【００１６】
図３は本発明の照明器具を壁面から見た背面図を示す。器具本体３０の内部には光源１０を点灯する点灯装置４０、外部電源により充電されるバッテリ６０、通常時は外部電源によりバッテリ６０を充電し、外部電源が遮断した場合にバッテリ６０を電源として光源１０を点灯する充電点灯装置５０、光源１０、バッテリ６０の点検を行う点検スイッチ７０を内蔵している。
【符号の説明】
【００１７】
１０…光源、１１…筐体、１２…発光素子、１３…樹脂カバー、
２０…カバー、２１…ガラスパネル、２２…枠
３０…器具本体、３１…本体取付穴、３２…外部電源用通線穴
４０…点灯装置
５０…充電点灯装置
６０…バッテリ
７０…点検スイッチ
８０…外部電源用端子台
９０…器具内部空間
１００…器具外部空間
１１０…壁面
【図１】
2018116790.tif 000003
【図２】
2018116790.tif 000004
【図３】
2018116790.tif 000005